(57)【特許請求の範囲】
【請求項１】
ねじの挿通孔を形成したワッシャ部から延設した１対の脚片を有し、該脚片にガイド溝を形成したワッシャと、雌ねじを挟んで対向する側面に前記ガイド溝に回動可能かつ摺動可能に挿通する回転軸及び雌ねじとワッシャに形成したねじの挿通孔とが一致する回転角度でワッシャの脚片に当接するストッパ片を突出させたナットとを備えたナット部材において、ナットを雌ねじとワッシャに形成したねじの挿通孔とが一致する方向に付勢するねじりばねからなるばね機構を備え、該ねじりばねをナットの一方の回転軸に巻着し、ねじりばねの一方のアームをガイド溝のガイド溝縁部に摺動可能に支持し、ねじりばねの他方のアームをストッパ片に掛止するようにしたことを特徴とするナット部材。
【発明の詳細な説明】
【技術分野】
【０００１】
本発明は、ナット部材に関し、特に、裏側に手の入らないボード壁などに孔をあけて表側から挿入して用いるナット部材に関するものである。
【背景技術】
【０００２】
従来、雌ねじの軸線と直交する方向に長く形成され、雌ねじを挟んで対向する側面に回転軸を突出させたナットと、ねじの挿通孔を形成したワッシャ部から延設した１対の脚片を有し、該脚片にナットの回転軸を回動可能かつ摺動可能に挿通するガイド溝を形成したワッシャとを備えたナット部材が知られている。
【０００３】
例えば、特許文献１に記載のナット部材は、ナットの一端に傾斜面を設け、ワッシャの脚片にナットを縦長に保持し、前記傾斜面をねじの先端で押圧することによりナットを９０°回転させ、ナットの雌ねじとねじが螺合するようにしている。
【０００４】
しかしながら、上記従来のナット部材は、ナットに形成した傾斜面をねじの先端で押圧することによりナットを回転させることから、雌ねじとねじが一致する角度にナットを回転させるために、傾斜面や雌ねじの入口形状に加工精度が要求されるようになりコスト高になるという問題を有している。
【特許文献１】特開平１０−１４１３４４号公報
【発明の開示】
【発明が解決しようとする課題】
【０００５】
本発明は、上記従来のナット部材が有する問題点に鑑み、ナットの雌ねじとねじとを確実に螺合させるとともに、簡単な構造により製造コストを低減することができるナット部材を提供することを目的とする。
【課題を解決するための手段】
【０００６】
上記目的を達成するため、本発明のナット部材は、ねじの挿通孔を形成したワッシャ部から延設した１対の脚片を有し、該脚片にガイド溝を形成したワッシャと、雌ねじを挟んで対向する側面に前記ガイド溝に回動可能かつ摺動可能に挿通する回転軸及び雌ねじとワッシャに形成したねじの挿通孔とが一致する回転角度でワッシャの脚片に当接するストッパ片を突出させたナットとを備えたナット部材において、ナットを雌ねじとワッシャに形成したねじの挿通孔とが一致する方向に付勢するねじりばねからなるばね機構を備え、該ねじりばねをナットの一方の回転軸に巻着し、ねじりばねの一方のアームをガイド溝のガイド溝縁部に摺動可能に支持し、ねじりばねの他方のアームをストッパ片に掛止するようにしたことを特徴とする。
【発明の効果】
【０００７】
本発明のナット部材によれば、ばね機構の付勢力に抗してナットを保持し、ボードの孔に挿入すると、ナットが雌ねじとワッシャの挿通孔とが一致する回転角度まで自動的に回転することができ、これにより、簡単な構造で、ナットの雌ねじとねじとを確実に螺合させるとともに、ねじの締着によるナットの移動を容易にし、かつナット部材の製造コストを低減することができる。
【発明を実施するための最良の形態】
【０００８】
以下、本発明のナット部材の実施の形態を、図面に基づいて説明する。
【０００９】
図１〜図３に、本発明のナット部材の一実施例を示す。
このナット部材は、雌ねじ１１を挟んで対向する側面に回転軸１２を突出させたナット１と、ねじＡの挿通孔２１を形成したワッシャ部２２から延設した１対の脚片２３を有し、該脚片２３にナット１の回転軸１２を回動可能かつ摺動可能に挿通するガイド溝２４を形成したワッシャ２と、ナット１を雌ねじ１１とワッシャ２に形成したねじＡの挿通孔２１とが一致する回転角度に付勢して保持するばね機構３とを備えている。
【００１０】
ナット１は、図２に示すように、四角柱の短杆状のものからなり、長手方向中心位置を貫通するように雌ねじ１１が設けられている。
雌ねじ１１を挟んで対向する側面には、回転軸１２が突出形成されるとともに、一方の側面には、後述するねじりばね４の他方のアーム４２を掛止するストッパ片５と、このアーム４２が嵌入する凹溝１３とが設けられている。
【００１１】
ワッシャ２は、図３に示すように、ねじＡの挿通孔２１を形成したワッシャ部２２と、該ワッシャ部２２から延設した１対の平板状の脚片２３と、該脚片２３に形成され、ナット１の回転軸１２を回動可能かつ摺動可能に挿通するガイド溝２４とを備えている。
ワッシャ２は、ねじりばね４が配設される側のガイド溝２４が、後述するねじりばね４の一方のアーム４１が嵌入するように、一回り大きく形成されている。
【００１２】
ばね機構３は、図１に示すように、ナット１の回転軸１２に巻着されたねじりばね４と、ねじりばね４の一方のアーム４１を摺動可能に支持するガイド溝縁部２４ａと、ナット１に形成され、ねじりばね４の他方のアーム４２を掛止するとともに、雌ねじ１１とワッシャ２の挿通孔２１とが一致する回転角度でワッシャ２の脚片２３に当接するストッパ片５とを備えている。
なお、本実施例では、ばねとしてねじりばね４を使用するようにしているが、図４に示す参考例のように、付勢手段としてコイルばね６を使用することもできる。図４において、実施例のナット部材と同一部材は同一符号を記している。
【００１３】
次に、本実施例のナット部材の作用を説明する。
図１（ａ）に示すように、ばね機構３の付勢力に抗してナット１を縦長に保持し、ボードＢの孔Ｂ１に挿入すると、図１（ｂ）に示すように、ばね機構３の作用によって、ナット１が雌ねじ１１とワッシャ２の挿通孔２１とが一致する回転角度まで自動的に回転する。
これにより、図１（ｃ）に示すように、ナット１の雌ねじ１１とねじＡとを確実に螺合させるとともに、ねじＡの締着によりナット１をガイド溝２４に沿って移動させることにより、固定物ＣをボードＢに固定することができる。
【００１４】
かくして、本実施例のナット部材は、雌ねじ１１を挟んで対向する側面に回転軸１２を突出させたナット１と、ねじＡの挿通孔２１を形成したワッシャ部２２から延設した１対の脚片２３を有し、該脚片２３にナット１の回転軸１２を回動可能かつ摺動可能に挿通するガイド溝２４を形成したワッシャ２と、ナット１を雌ねじ１１とワッシャ２に形成したねじＡの挿通孔２１とが一致する回転角度に付勢して保持するばね機構３とを備えることから、ばね機構３の付勢力に抗してナット１を縦長に保持し、ボードＢの孔Ｂ１に挿入すると、ナット１が雌ねじ１１とワッシャ２の挿通孔２１とが一致する回転角度まで自動的に回転することができ、これにより、ナット１の雌ねじ１１とねじＡとを確実に螺合させるとともに、簡単な構造によりナット部材の製造コストを低減することができる。
【００１５】
この場合、前記ばね機構３が、ナット１の回転軸１２に巻着されたねじりばね４と、ねじりばね４の一方のアーム４１を摺動可能に支持するガイド溝縁部２４ａと、ナット１に形成され、ねじりばね４の他方のアーム４２を掛止するとともに、雌ねじ１１とワッシャ２に形成したねじＡの挿通孔２１とが一致する回転角度でワッシャ２の脚片２３に当接するストッパ片５とを備えることにより、より簡単な構造で、ナット１の雌ねじ１１とねじＡとを確実に螺合させるとともに、ねじＡの締着によるナット１の移動を容易にし、かつナット部材の製造コストを低減することができる。
【００１６】
以上、本発明のナット部材について、その実施例に基づいて説明したが、本発明は上記実施例に記載した構成に限定されるものではなく、その趣旨を逸脱しない範囲において適宜その構成を変更することができる。
【産業上の利用可能性】
【００１７】
本発明のナット部材は、ナットの雌ねじとねじとを確実に螺合させるとともに、簡単な構造により製造コストを低減するという特性を有していることから、例えば、裏側に手の入らないボード壁などに孔をあけて表側から挿入して用いるナット部材の用途に好適に用いることができる。
【図面の簡単な説明】
【００１８】
【図１】本発明のナット部材の一実施例を示し、（ａ）は挿入時の状態を示す側面図、（ｂ）は挿入後の状態を示す側面図、（ｃ）はねじ締着時の状態を示す側面図である。
【図２】（ａ）はナットの正面図、（ｂ）は同側面図、（ｃ）はねじりばねの正面図、（ｄ）は同側面図である。
【図３】ワッシャを示し、（ａ）はその平面図、（ｂ）は同側面図、（ｃ）は同正面図である。
【図４】ナット部材の参考例を示し、（ａ）は一部切欠正面図、（ｂ）は同側面図である。
【符号の説明】
【００１９】
１    ナット
１１  雌ねじ
１２  回転軸
１３  凹溝
２    ワッシャ
２１  挿通孔
２２  ワッシャ部
２３  脚片
２４  ガイド溝
２４ａ  ガイド溝縁部
３    ばね機構
４    ねじりばね
４１  アーム
４２  アーム
５    ストッパ片
６    コイルばね
Ａ    ねじ
Ｂ    ボード
Ｃ    固定物
【図１】
0004722670.tif 000002
【図２】
0004722670.tif 000003
【図３】
0004722670.tif 000004
【図４】
0004722670.tif 000005